(57)【要約】【課題】バッテリからの供給電圧が低下した場合においても確実に一定化された安定な電源電圧を生成することのできる電源装置を提供する。【解決手段】電圧制御素子（トランジスタ）を介してバッテリからの供給電圧を降下させる電圧降下手段と、上記電圧制御素子を介して与えられる入力電圧から一定の電源電圧を生成して負荷に供給する電圧安定化回路とを備えたものであって、特に前記電圧制御素子に並列接続され、前記バッテリからの供給電圧が予め設定した電圧に満たないときに導通されて該電圧制御素子をバイパスするスイッチ（ＦＥＴ）を設けた。【選択図】図１
2007206802.tif 000002
【特許請求の範囲】
【請求項１】
電圧制御素子を介してバッテリからの供給電圧を降下させる電圧降下手段と、
上記電圧制御素子を介して与えられる入力電圧から一定の電源電圧を生成して負荷に供給する電圧安定化回路と、
前記電圧制御素子に並列接続され、前記バッテリからの供給電圧が予め設定した電圧に満たないときに導通されて該電圧制御素子をバイパスするスイッチと
を備えたことを特徴とする電源装置。
【請求項２】
前記電圧制御素子は、エミッタ・ホロア回路をなすトランジスタからなり、
前記スイッチは、上記トランジスタのコレクタ・エミッタ間に並列に接続されるものである請求項１に記載の電源装置。
【請求項３】
前記スイッチは、前記電圧制御素子に加えられる入力電圧を検出する電圧検出回路により、上記入力電圧が予め設定した電圧よりも低いときに導通駆動される半導体スイッチ素子からなる請求項２に記載の電源装置。
【請求項４】
前記電圧検出回路は、前記最終段の電圧制御素子に加えられる入力電圧が予め設定した電圧よりも高いときに発光駆動される発光ダイオードと、この発光ダイオードからの光を受光して前記半導体スイッチ素子を遮断駆動するフォトトランジスタとからなるフォトカプラを備えたものである請求項３に記載の電源装置。
【発明の詳細な説明】
【技術分野】
【０００１】
本発明は、バッテリからの供給電圧から一定電圧を生成して負荷に供給する電源装置に関する。
【背景技術】
【０００２】
パワーショベル等の建設機械には種々の電気式の操作レバーが設けられており、これらの操作レバーの操作量を電気的に検出してその運転が制御される。具体的には上記操作量の検出は、操作レバーに組み込まれて一定電圧が加えられている回転角センサから、上記操作レバーの操作量（操作角）に応じた電圧を得ることによってなされる。これ故、建設機械を円滑に運転操作するには、上記一定電圧を安定に確保することが重要である。そこで従来一般的には、建設機械に搭載されたバッテリを電力源とし、安定化電源回路を備えた電源装置を用いてバッテリからの供給電圧から一定の安定な電源電圧を生成し、この電源電圧を各種の電子制御機器（負荷）の駆動源として供給するようにしている（例えば特許文献１を参照）。
【０００３】
一方、建設機械に搭載されるバッテリの仕様は様々であり、一般的には大型の建設機械では２４Ｖ系のバッテリが用いられ、また小型の建設機械では１２Ｖ系のバッテリが用いられる。また建設機械に搭載される各種の電子制御機器の電源電圧は、通常、５Ｖまたは３Ｖであことから、上述した電源装置においては２４Ｖ系のバッテリからの供給電圧（１９〜２８Ｖ）を１２Ｖ程度まで降下させ、これを安定化電源回路（電源ＩＣ）に供給して上記電源電圧を生成するようにしている（例えば特許文献２を参照）。
【特許文献１】特開２００３−３０１４８０号公報
【特許文献２】実公平６−５００１５号公報
【発明の開示】
【発明が解決しようとする課題】
【０００４】
ところで前述したバッテリからの供給電圧の電圧降下は、専ら、トランジスタ等の電圧制御素子を用いた電圧降下回路を介して行われる。この際、電圧制御素子（トランジスタ）の負荷特性を考慮して電圧降下回路を多段に構成し、例えば１段目の電圧降下回路を用いてバッテリからの供給電圧（２２〜２８Ｖ）を２０Ｖ程度まで降下させ、更に２段目の電圧降下回路を用いて上記電圧を１２Ｖ程度まで降下させることが行われる。
【０００５】
しかしながらこのように構成された電源装置を小型の建設機械に搭載した場合、１２Ｖ系のバッテリからの供給電圧が低下すると前述した安定化電源回路（電源ＩＣ）が正常に動作しなくなる虞があった。即ち、安定化電源回路（電源ＩＣ）の動作を保証するには、一般的にはその出力電圧（５Ｖ）に対して該安定化電源回路（電源ＩＣ）の入力電圧を１.５Ｖ以上高くすることが必要である。また多段に構成された電圧降下回路における電圧制御素子（トランジスタ）をそれぞれ確実に動作させるには、その出力電圧に比較して入力電圧をそれぞれ１.５Ｖ程度高くすることが必要である。
【０００６】
従って電源装置を正常に作動させるには、バッテリからの供給電圧として最低でも９.５Ｖ（＝５Ｖ＋１.５Ｖ＋１.５Ｖ＋１.５Ｖ）を確保することが必要となる。更にはバッテリとの間に逆電流防止用のダイオードを介挿した場合には、このダイオードにおける電圧降下分（０.６Ｖ）を見込むことが必要である。しかし１２Ｖ系のバッテリからの供給電圧は９.５Ｖ以下に低下することもあり、電源装置の正常な動作を期待することができないと言う問題があった。
【０００７】
本発明はこのような事情を考慮してなされたもので、その目的は、バッテリからの供給電圧が低下した場合においても確実に一定化された安定な電源電圧を生成することのできる電源装置を提供することにある。
換言すれば本発明は、例えば２４Ｖ系のバッテリを電力源として用いる場合は勿論のこと、１２Ｖ系のバッテリを電力源として用いる場合であっても、その正常な動作を保証して安定に一定の電源電圧を生成して負荷に供給することのできる電源装置を提供することを目的としている。
【課題を解決するための手段】
【０００８】
上述した目的を達成するべく本発明に係る電源装置は、電圧制御素子を介してバッテリからの供給電圧を降下させる電圧降下手段と、上記電圧制御素子を介して与えられる入力電圧から一定の電源電圧を生成して負荷に供給する電圧安定化回路とを備えたものであって、特に前記電圧制御素子に並列接続され、前記バッテリからの供給電圧が予め設定した電圧に満たないときに導通されて該電圧制御素子をバイパスするスイッチを設けたことを特徴としている。
【０００９】
ちなみに前記電圧制御素子は、例えばエミッタ・ホロア回路をなすトランジスタからなり、また前記スイッチは上記トランジスタのコレクタ・エミッタ間に並列に接続されて該トランジスタをバイパスするものからなる。このスイッチは、使用するバッテリの仕様に応じて手動切り替えされるものであっても良く、或いはバッテリの出力電圧に応じて自動的に切り替え制御されるものであっても良い。
【００１０】
具体的には自動切り替えされる前記スイッチは、例えば前記電圧制御素子（トランジスタ）に加えられる入力電圧を検出する電圧検出回路により、上記入力電圧が予め設定した電圧よりも低いときに導通駆動される半導体スイッチ素子（例えばＦＥＴ）として実現される。尚、上記電圧検出回路については、例えば前記最終段の電圧制御素子に加えられる入力電圧が予め設定した電圧よりも高いときに発光駆動される発光ダイオードと、この発光ダイオードからの光を受光して前記半導体スイッチ素子を遮断駆動するフォトトランジスタとからなるフォトカプラを備えたものとして構築することが好ましい。
【発明の効果】
【００１１】
このように構成された電源装置によれば、バッテリから供給される電圧が低い場合、電圧降下回路における電圧制御素子（トランジスタ）がスイッチにてバイパスされるので、この電圧制御素子（トランジスタ）を介する電圧降下分、該電源装置の最低動作保証電圧を下げることができる。従ってバッテリからの供給電圧が低下した場合であっても、定電圧回路の動作を保証することができ、常に安定に一定の電源電圧を生成することが可能となる。
【００１２】
故に、例えば２４Ｖ系のバッテリを電力源とする場合のみならず、１２Ｖ系のバッテリを電力源とする場合であっても、上記構成の電源装置をそのまま有効に機能させることが可能となる。特に電圧制御素子（トランジスタ）に対して、該電圧制御素子（トランジスタ）をバイパスするスイッチを並列に設けるだけで良いので、その構成が簡単であり、汎用性に富む等の実用上多大なる効果が奏せられる。
【発明を実施するための最良の形態】
【００１３】
以下、図面を参照して本発明の実施形態に係る電源装置について、パワーショベル等の建設機械に搭載されて、２４Ｖ系または１２Ｖ系のバッテリを電力源として各種の電子制御機器（負荷）に対する一定の電源電圧（５Ｖ）を生成する車載用電源装置を例に説明する。
【００１４】
図１は本発明の第１の実施形態に係る電源装置の概略構成図で、１は電力源としてのバッテリ（ＢＡＴ）、２は各種の電子制御機器からなる負荷（ＲＬ）である。この電源装置は、基本的にはバッテリ１からの供給電圧を２段階に亘って降下させる第１および第２の電圧降下回路３,４と、これらの電圧降下回路３,４を順に介して電圧降下した電圧を入力して一定の電源電圧（５Ｖ）を生成する定電圧回路５とを備えて構成される。更にこの電源装置のバッテリ１との接続ラインには、逆電流防止用のダイオード６が直列に介挿されている。尚、これらの各回路の出力段にはそれぞれ電圧平滑用のコンデンサＣ１,Ｃ２,Ｃ３,Ｃ４が介挿されている。
【００１５】
ちなみに上記定電圧回路５は、例えばその出力電圧ＶＯＵＴが５Ｖの３端子型の電源ＩＣからなる。また第１および第２の電圧降下回路３,４は、それぞれその電圧制御素子として、エミッタ・ホロア回路をなすトランジスタＴＲ１,ＴＲ２を用いて構成される。具体的にはこれらの電圧降下回路３,４は、例えば上記各トランジスタＴＲ１,ＴＲ２のベースに、そのベース電圧を規定するツェナーダイオードＺＤ１,ＺＤ２を接続すると共に、コレクタ・ベース間にバイアス抵抗Ｒ１,Ｒ２をそれぞれ並列接続して構成される。そしてコレクタに印加される入力電圧を降下させ、前記ツェナーダイオードＺＤ１,ＺＤ２により規定された出力電圧をそのそのエミッタから出力するものとなっている。
【００１６】
例えば上記第１の電圧降下回路３は、その出力電圧Ｖ１として２０Ｖを得るように構成され、また第２の電圧降下回路４は、その出力電圧Ｖ２として１２Ｖを得るように構成される。具体的には前記ツェナーダイオードＺＤ１としては［２０Ｖ＋ＶＢＥ］のツェナー降伏電圧特性を有するものが用いられ、またツェナーダイオードＺＤ２としては［１２Ｖ＋ＶＢＥ］のツェナー降伏電圧特性を有するものが用いられる。但し、上記ＶＢＥはトランジスタＴＲ１,ＴＲ２のオン（導通）動作時のベース・エミッタ間電圧である。
【００１７】
基本的には上述した如く構成される電源装置においてこの発明が特徴とするところは、例えば第２の電圧降下回路４の主体部をなすトランジスタＴＲ２のコレクタ・エミッタ間にスイッチＳＷを並列接続している点にある。このスイッチＳＷは、前記バッテリ１からの供給電圧ＶＢＡＴが予め設定した電圧ＶＴＨ１よりも低いとき、或いは第２の電圧降下回路４への入力電圧（第１の電圧降下回路３の出力電圧）Ｖ１が予め設定した電圧ＶＴＨ２よりも低いときに導通（オン）されて前記トランジスタＴＲ２を、ひいては第２の電圧降下回路４をバイパスする機能を担う。尚、このスイッチＳＷは、使用するバッテリ１の種類（２４Ｖ系／１２Ｖ系）に応じて手動切り替えされる機械スイッチであっても良く、或いは後述する電圧検出回路の制御の下で自動切り替えされる半導体スイッチ素子やリレー回路等の電子式スイッチであっても良い。
【００１８】
このように構成された電源装置によれば、２４Ｖ系のバッテリ１を接続して作動させた場合、図２にその電圧遷移状態を特性ａとして示すようにバッテリ１からその最大定格出力である２８Ｖの電圧ＶＢＡＴが供給されると、この供給電圧ＶＢＡＴはダイオード６を介して若干電圧降下した後、第１の電圧降下回路３にて２０Ｖまで降下される。そしてこの第１の電圧降下回路３の出力電圧Ｖ１は、更に第２の電圧降下回路４に入力されて１２Ｖまで降下される。そしてこの第２の電圧降下回路４の出力電圧Ｖ２（＝１２Ｖ）が定電圧回路５に入力されることになるので、該定電圧回路５は正常に機能して一定の出力電圧ＶＯＵＴ（＝５Ｖ）を生成し、これを電源電圧として負荷２に供給することになる。
【００１９】
また上記バッテリ１の電圧が低下し、例えばその最低定格出力である１９Ｖまで低下した場合には、第１の電圧降下回路３におけるツェナーダイオードＺＤ１の機能が失われるのでトランジスタＴＲ１はダイオードとして機能する。この結果、電圧遷移状態を特性ｂとして示すようにバッテリ１からの供給電圧ＶＢＡＴ（＝１９Ｖ）はダイオード６を介して若干電圧降下した後、更に第１の電圧降下回路３を介して若干電圧降下し、１７Ｖ程度の電圧として第２の電圧降下回路４に入力される。すると第２の電圧降下回路４は、この入力電圧を受けて１２Ｖまで降下させ、その出力電圧Ｖ２（＝１２Ｖ）を定電圧回路５に与えることになる。この結果、定電圧回路５は正常に機能して一定の出力電圧ＶＯＵＴ（＝５Ｖ）を生成し、これを電源電圧として負荷２に供給することになる。
【００２０】
従ってバッテリ１からの供給電圧ＶＢＡＴがその定格出力の範囲で変動しても、第１および第２の電圧降下回路３,４を介してその電圧変動に応じた電圧降下が生起され、第２の電圧降下回路４から１２Ｖの電圧が定電圧回路５に与えられることになるので、定電圧回路５は常に安定に動作して５Ｖの出力電圧ＶＯＵＴを安定に生成することになる。換言すれば２４Ｖ系のバッテリ１を用いた場合、このバッテリ１からの供給電圧ＶＢＡＴの変動に拘わらず電源装置は一定の出力電圧ＶＯＵＴを安定に生成し、これを負荷２に対する電源電圧として供給することになる。
【００２１】
これに対して１２Ｖ系のバッテリ１を用いた場合、このバッテリ１からの供給電圧ＶＢＡＴはその定格出力である９.５〜１４Ｖの範囲で変動することが想定される。この場合、前述した２４Ｖ系のバッテリからの供給電圧よりも低いので、同様に第１の電圧降下回路３におけるツェナーダイオードＺＤ１の機能が失われ、トランジスタＴＲ１はダイオードとして機能する。そして上記バッテリ１から、例えばその最高定格出力である１４Ｖの電圧ＶＢＡＴが供給された場合には、図２にその電圧遷移状態を特性ｃとして示すように、バッテリ１からの供給電圧ＶＢＡＴ（＝１４Ｖ）はダイオード６を介して若干電圧降下した後、更に第１の電圧降下回路３を介して若干電圧降下し、１２Ｖ程度の電圧として第２の電圧降下回路４に入力される。
【００２２】
すると第２の電圧降下回路４においても、そのツェナーダイオードＺＤ１の機能が失われ、トランジスタＴＲ２はダイオードとして機能するので、第２の電圧降下回路４においても若干の電圧降下が生じる。この結果、定電圧回路５にはその動作保証電圧を上回る１１Ｖ程度の電圧が印加されることになるので、該定電圧回路５は正常に機能して一定の出力電圧ＶＯＵＴ（＝５Ｖ）を生成し、これを電源電圧として負荷２に供給する。
【００２３】
しかしながらバッテリ１からの供給電圧ＶＢＡＴが、その最低定格出力である９.５Ｖ程度まで低下すると、仮に上記各電圧降下回路３,４にてそれぞれ電圧降下が生じたとしても、定電圧回路５には４.５Ｖ程度の電圧が供給されるだけとなるので、定電圧回路５は正常に機能しなくなる。むしろこの場合には、前記各電圧降下回路３,４におけるトランジスタＴＲ１,ＴＲ２をそれぞれダイオードとして機能させ得る電圧を確保することも困難となるので、これらのトランジスタＴＲ１,ＴＲ２はオフ動作（遮断）し、定電圧回路５への電圧供給自体が損なわれることなる。
【００２４】
換言すれば前記各電圧降下回路３,４におけるトランジスタＴＲ１,ＴＲ２をそれぞれ導通（オン）させてダイオードとして機能させ得る電圧を確保するには、バッテリ１からの供給電圧ＶＢＡＴとして、例えば図２に電圧遷移の特性ｄとして示すように上記各トランジスタＴＲ１,ＴＲ２のオン電圧をそれぞれ見込んだ１１Ｖ程度の電圧が必要となる。そしてバッテリ１からの供給電圧ＶＢＡＴが上記電圧（１１Ｖ）よりも低下したとき、電源装置が正常に機能しなくなる。
【００２５】
この点、本装置においてはその定格出力が（９.５〜１４Ｖ）の範囲で変動する１２Ｖ系のバッテリ１を用いる場合、前述したように第２の電圧降下回路４のトランジスタＴＲ２のコレクタ・エミッタ間に並列接続したスイッチＳＷを導通（オン）させ、これによってトランジスタＴＲ２を、ひいては第２の電圧降下回路４をバイパスするものとなっている。そして上記スイッチＳＷを用いてトランジスタＴＲ２（第２の電圧降下回路４）をバイパスした場合、その電圧遷移状態を図２に特性ｅとして示すようにバッテリ１から供給されて定電圧回路５に加わる電圧の降下分を、上記トランジスタＴＲ２（第２の電圧降下回路４）をバイパスした分だけ低く抑えることができる。即ち、バッテリ１からの供給電圧ＶＢＡＴを、ダイオード６および第１の電圧降下回路３を順に介して若干電圧降下しただけの電圧として定電圧回路５に与えることができる。具体的にはバッテリ１からの供給電圧が、その最低定格出力である９.５Ｖ程度まで低下した場合であっても、定電圧回路５に対して６.５Ｖ程度の電圧として与えることができる。
【００２６】
この結果、定電圧回路５にはその最低動作電圧が入力されることになるので、定電圧回路５は正常に機能して一定の出力電圧ＶＯＵＴ（＝５Ｖ）を生成し、これを負荷２に供給することになる。従って１２Ｖ系のバッテリ１を用いる場合、スイッチＳＷを導通（オン）させ、これによってトランジスタＴＲ２（第２の電圧降下回路４）をバイパスすると言う簡単な構成を採用することで、本電源装置を正常に機能させることが可能となる。
【００２７】
かくして上述した如く構成された電源装置によれば、例えば電力源として用いるバッテリ１が２４Ｖ系のものであるか、或いは１２Ｖ系のものであるかに応じてスイッチＳＷを切り替え、特に１２Ｖ系のバッテリ１を用いる場合にはスイッチＳＷを用いて電圧降下回路４をバイパスするので、バッテリ１の種類に拘わらず、またバッテリ１からの供給電圧ＶＢＡＴの変動に拘わることなく定電圧回路５を正常に作動させて各種電子制御機器の電源電圧として用いられる一定の出力電圧ＶＯＵＴを安定に生成することが可能となる。しかも２４Ｖ系／１２Ｖ系のバッテリ１が搭載される建設機械の種別に応じた電源装置を個別に準備しなくても、上述した構成の電源装置を共用することができるので、その実用的利点が多大である。
【００２８】
ところで上述した実施形態においてはバッテリ１からの供給電圧ＶＢＡＴに応じてスイッチＳＷを切り替え制御するものとして説明したが、例えば電圧降下回路３,４に供給される電圧を検出し、その電圧に応じてスイッチＳＷを自動的に切り替え制御するように電源装置を構成することも可能である。図３は、このようなスイッチＳＷの自動切り替え制御機能を備えた電源装置の構成例を示している。
【００２９】
この電源装置は、前述した図１に示す構成の電源装置に加えて２段目の電圧降下回路４に加えられる電圧（１段目の電圧降下回路３の出力電圧）Ｖ１をモニタし、その電圧Ｖ１が予め設定した電圧ＶＴＨ２よりも低いときに前記スイッチＳＷを導通（オン）動作させる電圧検出回路７を備えて構成される。この場合、前記スイッチＳＷは、例えば大電力用のＭＯＳ−ＦＥＴからなる電子スイッチ素子を用いて実現される。具体的には電圧降下回路４のトランジスタＴＲ２のコレクタ・エミッタに上記電子スイッチ素子であるＦＥＴのソース・ドレインをそれぞれ接続することで、該ＦＥＴがトランジスタＴＲ２に並列接続される。
【００３０】
上記電圧検出回路７は、具体的にはツェナーダイオードＺＤを介して所定電圧ＶＺＤだけ前記出力電圧Ｖ１をシフトしてそのベースに入力する、エミッタ接地したトランジスタＴＲ３と、このトランジスタＴＲ３のコレクタと電源ライン（Ｖ１）との間に直列接続された発光ダイオード（ＬＥＤ）とを備えて構成される。このような構成の電圧検出回路７におけるトランジスタＴＲ３は、そのベースに加わる電圧（Ｖ１−ＶＺＤ）が該トランジスタＴＲ３のオン動作電圧（ベース・エミッタ間電圧）ＶＢＥよりも高いときに導通（オン）して前記ＬＥＤを発光駆動し、逆に上記電圧（Ｖ１−ＶＺＤ）がそのオン動作電圧ＶＢＥよりも低下したとき遮断（オフ）動作して前記ＬＥＤの発光を停止させる機能を担う。この場合、前述した電圧Ｖ１の低下の判定閾値となる電圧ＶＴＨ２は、トランジスタＴＲ３のベースに接続された抵抗をＲ３,Ｒ４としたとき、
-ＶＴＨ２＝ＶＢＥ（Ｒ３＋Ｒ４）／Ｒ４＋ＶＺＤ
として与えられる。
【００３１】
また前記発光ダイオードＬＥＤはフォトトランジスタＰＴと対をなしてフォトカプラを形成したものであり、上記フォトトランジスタＰＴは前記ＬＥＤからの光を受けたときに導通（オン）動作して前記ＦＥＴのソース・ゲート間を短絡し、これによって前記ＦＥＴを遮断（オフ）させる役割を担う。換言すれば前述した出力電圧Ｖ１が前記判定閾値電圧ＶＴＨよりも低下し、これに伴ってトランジスタＴＲ３がオフ（遮断）動作してＬＥＤの発光を停止させたとき、フォトトランジスタＰＴはオフ（遮断）動作によって前記ＦＥＴのソース・ゲート間の短絡状態を解除し、これによってＦＥＴ（スイッチＳＷ）をオン（導通）させて前述したトランジスタＴＲ２（電圧降下回路４）をバイパスするものとなっている。
【００３２】
従って上述した如くスイッチＳＷをＭＯＳ−ＦＥＴ（電子スイッチ素子）を用いて構成し、電圧検出回路７にて１段目の電圧降下回路３の出力電圧Ｖ１をモニタして上記ＭＯＳ−ＦＥＴのオン・オフ動作を制御するように構成することで、前述した実施形態と同様な効果を奏することが可能となる。特にこの場合、電圧降下回路３の出力電圧Ｖ１に応じてスイッチＳＷを自動的に切り替えることができるので、例えば１２Ｖ系のバッテリ１からの供給電圧ＶＢＡＴが十分に高いような場合には、２段目の電圧降下回路４にてその供給電圧を低下させることができるので、定電圧回路５における余分な電力負荷を軽減することができる等の効果が奏せられる。
【００３３】
尚、図３に示す実施形態においては１段目の電圧降下回路３の出力段に電流制限回路８が設けられている。この電流制限回路８は、上記電圧降下回路３の電源出力ラインにシャント抵抗Ｒｓを直列に介挿すると共に、上記電源出力ラインに流れる電流に応じて上記シャント抵抗Ｒｓに生起される電圧をモニタし、その電圧降下（出力電流）が大きいときに前記トランジスタＴＲ１のベース・エミッタ間を短絡して該トランジスタＴＲ１をオフ（遮断）するトランジスタＴＲ４からなる。電源装置にこのような電流制限回路８を組み込んでおけば、例えば負荷２の異常によって過大電流が流れることを効果的に防止することができるので、その実用的利点が非常に大きい。
【００３４】
尚、本発明は上述した各実施形態に限定されるものではない。例えば前述したスイッチＳＷについては、１段目の電圧降下回路３に対して並列に設けることも可能であり、１段目および２段目の電圧降下回路３,４のそれぞれに並列に設けることも勿論可能である。また電圧検出回路８においては、バッテリ１からの供給電圧ＶＢＡＴをモニタするように構成することも可能である。
【００３５】
更にここではフォトカップラを用いて電圧検出回路８とＭＯＳ−ＦＥＴ（電子スイッチ素子）とを電位的に分離してオン・オフ駆動するようにしたが、ＦＥＴとの電位的な整合をとって直接駆動することも勿論可能である。また定電圧回路５を、トランジスタ等を用いたディスクリートな構成の回路として実現することも可能であり、要は本発明はその要旨を逸脱しない範囲で種々変形して実施することができる。
【図面の簡単な説明】
【００３６】
【図１】本発明の一実施形態に係る電源装置の概略構成図。
【図２】図１に示す電源装置におけるバッテリからの供給電圧に対する電圧遷移の状態を模式的に示す図。
【図３】本発明の別の実施形態に係る電源装置の概略構成図。
【符号の説明】
【００３７】
１  バッテリ
２  負荷
３,４  電圧降下回路
５  定電圧回路
６  ダイオード
７  電圧検出回路
８  電流制限回路
ＳＷ  スイッチ
ＴＲ１,ＴＲ２,ＴＲ３  トランジスタ
ＺＤ１,ＺＤ２,ＺＤ３  ツェナーダイオード
ＬＥＤ  発光ダイオード
ＰＴ  フォトトランジスタ
ＦＥＴ  電子スイッチ素子
【図１】
2007206802.tif 000003
【図２】
2007206802.tif 000004
【図３】
2007206802.tif 000005